【手続補正書】
【提出日】平成15年2月12日(2003.2.12)
【手続補正１】
【補正対象書類名】明細書
【補正対象項目名】特許請求の範囲
【補正方法】変更
【補正の内容】
【特許請求の範囲】
【請求項１】
可動の安全適合装置において、
基部と、頂部と、該基部及び該頂部の間にある複数のほぼ垂直壁と、該垂直壁に接続されて複数の開放区画室を形成する複数のほぼ水平壁とを有する殻体と、
該殻体にヒンジ止め可能に取り付けられた複数の扉であって、扉が閉じたとき、区画室を閉じ、扉が開いたとき、区画室へのアクセスを可能にするように配置された前記複数の扉と、
区画室の１つに取り外し可能に格納された少なくとも１つの給水タンクと、その内部に保持された水を分配し得るように給水タンクに接続された装置とを含む給水システムと、
区画室の１つに格納された少なくとも１つの排水収集タンクと、該排水収集タンクに排水を運び得るように該排水収集タンクに接続された配管とを有する排水収集システムとを備える、可動の安全適合装置。
【請求項２】
請求項１の装置において、
殻体がプラスチック材料で出来ており、垂直壁及び水平壁が単一の装置として一体に成形される、装置。
【請求項３】
請求項１の装置において、
区画室が取り外し可能な仕切り部（ｄｉｖｉｄｅｒ）を有する、装置。
【請求項４】
請求項１の装置において、
扉が窓部分を有する、装置。
【請求項５】
請求項１の装置において、
殻体の一側部に対し隔たった平行な配置状態で基部にて殻体に取り付けられた１対の地面係合車輪を更に備え、該１対の車輪が装置を車輪上へ傾けて（ｔｉｐ）該車輪の動きを容易にすることを許容する、装置。
【請求項６】
請求項１の装置において、
殻体の基部が、１対の地面係合車輪とは反対側の基部の側部に少なくとも１つの地面係合フランジを備え、
該フランジが、該フランジを地面に固着することを許容する開口（ａｐｅｒｔｕｒｅ）を有する、装置。
【請求項７】
請求項１の装置において、
殻体の基部の下方に配置され且つ殻体の下方にほぼ中心決めされた隔たった１対の地面係合キャスタを更に備え、該装置はキャスタ上で釣り合ったとき、地面から僅かに持ち上げられ、これにより、装置がキャスタ上で地面に沿って移動するのを容易にするようにした、装置。
【請求項８】
請求項１の装置において、
装置を持ち上げる持上げ装置を取り付けるべく殻体の頂部に設けられた持上げ手段を更に備える、装置。
【請求項９】
請求項８の装置において、
持上げ手段が、頂部及び基部を貫通して伸びる垂下ロッドと、基部の下方に配置され且つロッドに係合する支持部材と、頂部にてロッドに係合するアイレットであって、装置が該アイレットにより持ち上げられたとき、装置の重量が支持部材により支持されるようにする前記アイレットとを備える、装置。
【請求項１０】
請求項１の装置において、
垂直壁の１つが、その一部分に取り外し可能に取り付けられた透明なシートを有する外面を備え、印刷材料を該外面上に表示し、前記透明なシートが印刷材料に対する耐候性カバーを提供するようにした、装置。
【請求項１１】
請求項１の装置において、
殻体に回動可能に取り付けられたほぼ平坦なテーブル部分を更に備え、
該テーブル部分が、殻体に対する収容位置（ｓｔｏｗｅｄ  ｐｏｓｉｔｉｏｎ）と、該テーブル部分が殻体から離れてほぼ水平位置まで回動される展開位置とを有する、装置。
【請求項１２】
請求項１の装置において、
殻体に回動可能に取り付けられた座部分を更に備え、
該座部分が、殻体に対する収容位置と、該座部分が殻体から離れてほぼ水平位置まで回動される展開位置とを有する、装置。
【請求項１３】
請求項１の装置において、
少なくとも１つの扉が取り外し可能であり、
該扉が、病人又は負傷者を運ぶためのストレッチャーとして使用することができるように取り付けられ且つ配置された複数のハンドルを備える、装置。
【請求項１４】
請求項１の装置において、
少なくとも１つの扉が、取り外し可能であり、また、支持脚部を該扉に接続して扉がテーブルとして使用することができるようにする手段を備える、装置。
【請求項１５】
請求項１４の装置において、
扉が、テーブルとして使用されるとき、面積を増し得るように展開される可動部分を有する、装置。
【請求項１６】
請求項１５の装置において、
可動部分が扉にヒンジ止め可能に取り付けられ、
扉が、扉内に格納されると共に、可動部分を支持し得るように部分的に伸長する複数の伸長可能なスラット（ｓｌａｔｓ）を更に備える、装置。
【請求項１７】
請求項１４の装置において、
扉に取り付けられた複数の取り外し可能な支持脚部であって、扉を取り外したとき、扉をテーブルとして使用し得るようにほぼ水平位置に支持する前記複数の取り外し可能な支持脚部を更に備える、装置。
【請求項１８】
請求項１の装置において、
殻体に取り付けられた洗眼器を更に備え、
該洗眼器が、給水システムから水を受け入れ、該水を分配し、分配された水を収集し且つ該水を前記排水収集システムに送る、装置。
【請求項１９】
請求項１８の装置において、
洗眼器が、殻体に対する収容位置と、殻体から外方に伸びる展開位置との間にて回動可能であるようにした、装置。
【請求項２０】
請求項１８の装置において、
洗眼器がその給水源よりも下方の位置に配置され、水が重力により洗眼器に流れるようにした、装置。
【請求項２１】
請求項１の装置において、
給水システム内に保持された水の一部分を加熱する加熱装置を更に備える、装置。
【請求項２２】
請求項２１の装置において、
給水システムが手洗い用の水を供給する洗浄水供給タンクを備え、
加熱装置が洗浄水供給タンク内に取り付けられる、装置。
【請求項２３】
請求項２１の装置において、
加熱装置が、給水システムから水を受け入れ、該水を加熱して第一の温度の温水を発生させ、次に、該温水を給水システムからの冷水と混合し、第一の温度よりも低い第二の温度の温水を提供する、装置。
【請求項２４】
請求項１の装置において、
殻体が、排水を収集するシンクを有する第一の凹状領域を備え、
該シンクが排水収集システムの配管と流体的に連通して、シンクにより収集した水を排水システムに運ぶようにした、装置。
【請求項２５】
請求項２４の装置において、
給水システムが手洗い用の水を供給する洗浄水供給タンクを備え、
該洗浄水供給タンクが、シンクよりも下方にあり、シンクの上方に配置された水分配管と、洗浄水の供給タンク及び水分配管の間に配置された水ポンプとを更に備え、
該水ポンプが、給水タンクと流体的に連通し、ポンプが作動されたとき、給水タンクから水を圧送するようにした、装置。
【請求項２６】
請求項２５の装置において、
水ポンプが殻体の基部に取り付けられる、装置。
【請求項２７】
請求項２４の装置において、
給水システムが飲料水供給タンクと、飲料水の水栓（ｓｐｉｇｏｔ）とを備える、装置。
【請求項２８】
請求項２７の装置において、
飲料水の供給タンクが、飲料水の水栓よりも上方に配置され、飲料水が重力によって水栓まで流れるようにした、装置。
【請求項２９】
請求項２８の装置において、
飲料水を冷却し得るように飲料水の供給タンクと飲料水の水栓との間に配置された冷却装置を更に備える、装置。
【請求項３０】
請求項２４の装置において、
全てが凹状領域内で殻体に取り付けられた、石鹸ディスペンサと、カップディスペンサと、眼鏡クリーナディスペンサと、ティッシュディスペンサとを更に備える、装置。
【請求項３１】
請求項２４の装置において、
殻体が、第一の凹状領域の下方に配置されて排水収集容器を保持する第二の凹状領域を有する、装置。
【請求項３２】
請求項１の装置において、
外部電源に接続可能な電源と、電気システムに一時的な電力を供給する蓄電池とを有する電気システムを更に備える、装置。
【請求項３３】
請求項３２の装置において、
電気システムが該装置の周りの領域を照明する少なくとも１つの照明灯を備える、装置。
【請求項３４】
請求項３２の装置において、
電気システムが注意を引く警報灯を備える、装置。
【請求項３５】
請求項３２の装置において、
殻体に取り付けられ且つ電気システムに接続された電子通信装置を更に備える、装置。
【請求項３６】
請求項１の装置において、
区画室の１つの内部にて殻体に取り付けられた応急処置キットを更に備える、装置。
【請求項３７】
可動の安全適合装置において、
基部と、頂部と、該基部及び該頂部の間にある複数のほぼ垂直壁と、該垂直壁に接続されて複数の開放区画室を形成する複数のほぼ水平壁とを有する殻体と、
該殻体にヒンジ止め可能に取り付けられた複数の扉であって、扉が閉じたとき、区画室を閉じ、扉が開いたとき、区画室へのアクセスを可能にするように配置された前記複数の扉と、
基部にて殻体に取り付けられた地面係合車輪と、
装置を持ち上げる持上げ装置を取り付けるため殻体の頂部に設けられた持上げ手段と、
区画室の１つの内部の少なくとも１つの給水タンクと、その内部に保持された水を分配し得るように給水タンクに接続された装置とを含む給水システムと、
区画室の１つの内部の少なくとも１つの排水収集タンクと、該排水収集タンクに排水を運び得るように排水収集タンクに接続された配管とを有する排水収集システムと、
殻体に接続されたシンクであって、該シンクにより収集された水を排水システムに運び得るように排水収集システムの配管と流体的に連通した前記シンクとを備える、可動の安全適合装置。
【請求項３８】
可動の安全適合装置において、
複数のほぼ垂直壁と、複数の開放区画室を形成し得るように一体に成形された複数のほぼ水平壁とを有するプラスチック殻体と、
殻体にヒンジ止め可能に取り付けられた複数の扉であって、該扉が閉じたとき、区画室を閉じると共に、扉が開いたとき、区画室へのアクセスを可能にし得るように配置され、少なくとも１つの扉が代替的な用途のための手段にて取り外し可能である、前記複数の扉と、
区画室の１つの内部にて取り外し可能に格納された少なくとも１つの給水タンクと、その内部に保持された水を分配し得るように給水タンクに接続された装置とを有する給水システムと、
区画室の１つの内部に格納された少なくとも１つの排水収集タンクと、該排水収集タンクに排水を運び得るように排水収集タンクに接続された配管とを有する排水収集システムと、
殻体に取り付けられた洗眼器であって、給水システムから水を受け入れ、該水を分配し、分配された水を収集し且つ該水を排水収集システムに送る前記洗眼器とを備える、可動の安全適合装置。
【請求項３９】
可動の安全適合装置において、
複数の開放した区画室を有する殻体と、
該殻体にヒンジ止め可能に取り付けられた複数の扉であって、扉が閉じたとき、区画室を閉じ、扉が開いたとき、区画室へのアクセスを可能にするように配置された前記複数の扉と、
殻体に接続された給水システムであって、少なくとも１つの水貯蔵タンクと、その内部に保持された水を分配する装置とを有する前記給水システムと、
少なくとも１つの排水収集タンクと、該排水収集タンクに排水を運び得るように排水収集タンクに接続された配管とを有する排水収集システムと、
殻体に取り付けられて、給水システムから水を受け入れる洗眼器と、
殻体に接続されたシンクであって、該シンクにより収集された水を排水システムへ運び得るように排水収集システムの配管と流体的に連通した前記シンクと、
給水システム内の水の一部分を加熱する加熱装置と、
殻体の周りの領域を照明し得るように殻体に取り付けられた電灯とを備える、可動の安全適合装置。
【請求項４０】
安全及び健康規則の基準に適合し得るように、装置及び材料を供給する方法において、
閉じることのできる区画室と、自己充足式給水システムと、排水収集システムとを有する可動の装置を製造する工程と、
規則の基準に適合するのに必要とされる装置及び材料を装置上又は装置の内部に格納する工程とを備える、供給方法。
【請求項４１】
請求項４０の方法において、
給水システム内に水を注入する工程と、
給水システム内の水の一部分を加熱する工程とを更に備える、方法。
【請求項４２】
健康及び安全基準に適合するのに必要な装置及び用具を保持する単一の持運び型ユニットを提供する可動の安全適合装置において、
基部と、頂部と、装置及び用具を収容する複数の区画室とを有する殻体と、
区画室の１つに取り外し可能に配置された給水部と、水分配装置とを含む自己充足型給水システムとを備える、可動の安全適合装置。
【請求項４３】
請求項４２の可動の安全適合装置において、
給水部が水分配装置の上方に配置され、重力の方向が給水部から水分配装置への水の流れを容易にする、可動の安全適合装置。
【請求項４４】
請求項４２の装置において、
給水部がタンクを備える、装置。
【請求項４５】
請求項４２の装置において、
給水部がある量の水を受け入れ得るようにされた可撓性の容器を備える、装置。
【請求項４６】
請求項４２の装置において、
自己充足型給水システムが、給水部を自己充足型給水システムのその他の構成要素から迅速に且つ効率的に接続解除することを許容する急速接続具を更に備える、装置。
【請求項４７】
請求項４６の装置において、
急速接続具が、給水部を水分配装置に接続する配管から水が漏洩するのを防止する、装置。
【請求項４８】
請求項４２の装置において、
水加熱装置を更に備える、装置。
【請求項４９】
請求項４２の装置において、
水冷却装置を更に備える、装置。
【請求項５０】
請求項４２の装置において、
自己充足型給水システムが１つ又はそれ以上の追加的な給水部を更に備える、装置。
【請求項５１】
請求項５０の可動の安全適合装置において、
第一の給水部が飲用に適した水を提供し、第二の給水部が手洗いに適した水を提供する、可動の安全適合装置。
【請求項５２】
請求項５０の装置において、
第一の給水部が水冷却装置に接続され、第二の給水部が水加熱装置に接続される、装置。
【請求項５３】
請求項５０の装置において、
第一の給水部が第一の水分配装置に接続され、第二の給水部が第二の水分配装置に接続される、装置。
【請求項５４】
請求項４２の装置において、
給水部から水分配装置まで水を圧送し得るようにされた足踏みポンプを更に備える、装置。
【請求項５５】
請求項４２の装置において、
殻体が、凹状領域と、シンクとを更に備える、装置。
【請求項５６】
請求項４２の装置において、
給水部に取り付けられた洗眼器を更に備える、装置。
【請求項５７】
請求項４２の装置において、
自己充足型給水システムから分配された水を収集する排水収集システムを更に備える、装置。
【請求項５８】
健康及び安全基準に適合するのに必要な装置及び用具を保持する単一の持運び型ユニットを提供する可動の安全適合装置において、
基部と、頂部と、少なくとも第一の側部と、装置及び用具を収容する複数の区画室とを有する殻体と、
取り外し可能な給水部と、水分配装置とを含む自己充足型給水システムと、
水分配装置から分配された水を収集し、取り外し可能な排水収集容器を有する排水収集システムとを備える、可動の安全適合装置。
【請求項５９】
請求項５８の装置において、
装置に関係した位置情報をユーザが確認することを許容する全地球測位システムを更に備える、装置。
【請求項６０】
請求項５８の装置において、
殻体の少なくとも一側部が印刷材料を表示し得るようにほぼ平坦である、装置。
【請求項６１】
請求項６０の装置において、
印刷材料に対する耐候性カバーを提供し得るように側部の一部分の上方に取り外し可能に取り付けられた透明なシートを更に備える、装置。
【請求項６２】
請求項５８の装置において、
殻体に回動可能に取り付けられた可調節型テーブルを更に備える、装置。
【請求項６３】
請求項６２の装置において、
テーブルが１つ又はそれ以上の支持部材と共に利用される、装置。
【請求項６４】
請求項６３の装置において、
支持部材が装置の他の構成要素から取り外し可能である、装置。
【請求項６５】
請求項６４の装置において、
支持部材が殻体の側部に回動可能に取り付けられる、装置。
【請求項６６】
請求項５８の装置において、
殻体の側部に回動可能に取り付けられた座部を更に備える、装置。
【請求項６７】
請求項６６の装置において、
座部が座るのに適正な高さにて殻体の側部に取り付けられる、装置。
【請求項６８】
請求項６６の装置において、
座部が収容位置と、展開位置とを有する、装置。
【請求項６９】
健康及び安全基準に適合するのに必要な装置及び用具を保持する単一の持運び型ユニットを提供する可動の安全適合装置において、
基部と、頂部と、装置及び用具を収容する複数の区画室とを有する殻体と、
可動の安全適合装置の別の部分に接続され、ユーザがユーザの眼から異物及び（又は）対象物を除去することを許容する収容可能な洗眼器とを備える、可動の安全適合装置。
【請求項７０】
請求項６９の可動の安全適合装置において、
収容可能な洗眼器が殻体に回動可能に接続される、可動の安全適合装置。
【請求項７１】
請求項６９の可動の安全適合装置において、
収容可能な洗眼器が収容位置と、展開位置とを有する、可動の安全適合装置。
【請求項７２】
請求項７１の可動の安全適合装置において、
収容可能な洗眼器が収容位置にあるとき、該収容可能な洗眼器が、殻体の一側部に対して回動される、可動の安全適合装置。
【請求項７３】
請求項７２の可動の安全適合装置において、
収容可能な洗眼器が展開位置にあるとき、該収容可能な洗眼器が、殻体の側部から外方に伸びる、可動の安全適合装置。
【請求項７４】
請求項７３の可動の安全適合装置において、
収容可能な洗眼器が、ユーザにより展開されない収容位置に保持される、可動の安全適合装置。
【請求項７５】
請求項７４の可動の安全適合装置において、
収容可能な洗眼器が、該収容可能な洗眼器を殻体の側部に接続する機構の摩擦によって所定位置に保持される、可動の安全適合装置。
【請求項７６】
請求項７４の可動の安全適合装置において、
収容可能な洗眼器が、止め機構を利用して所定位置に保持される、可動の安全適合装置。
【請求項７７】
請求項６９の可動の安全適合装置において、
洗眼器の給水部を更に備える、可動の安全適合装置。
【請求項７８】
請求項７７の可動の安全適合装置において、
洗眼器の給水部が飲料水及び（又は）ユーザの手洗い用の水をも提供する、可動の安全適合装置。
【請求項７９】
請求項７７の可動の安全適合装置において、
洗眼器の排水収集容器を更に備える、可動の安全適合装置。
【請求項８０】
請求項７７の可動の安全適合装置において、
収容可能な洗眼器に供給された水を温める水加温装置を更に備える、可動の安全適合装置。
【請求項８１】
健康及び安全基準に適合するのに必要な装置及び用具を保持する単一の持運び型ユニットを提供する可動の安全適合装置において、
基部と、頂部と、装置及び用具を収容する複数の区画室とを有する殻体と、
区画室へのアクセスを可能にし得るように配置された１つ又はそれ以上の扉であって、扉を殻体から迅速に且つ容易に取り外すことを許容する取り付け機構を利用して、殻体に回動可能に取り付けられた前記１つ又はそれ以上の扉とを備える、可動の安全適合装置。
【請求項８２】
請求項８１の装置において、
１つ又はそれ以上の扉の形態が、該扉の後方にある物をユーザが確認することを許容するようにした、装置。
【請求項８３】
請求項８１の装置において、
１つ又はそれ以上の扉が、該１つ又はそれ以上の扉に対し追加的な強度及び（又は）支持力を提供し得るようにされた強化挿入体を受け入れ得る形態とされる、装置。
【請求項８４】
請求項８１の装置において、
１つ又はそれ以上の扉がその上に配置された人間を支持するのに十分に堅牢である、装置。
【請求項８５】
請求項８１の装置において、
１つ又はそれ以上の扉を殻体から取り外したとき、該１つ又はそれ以上の扉がストレッチャーとして利用することが可能であるようにした、装置。
【請求項８６】
請求項８１の装置において、
１つ又はそれ以上の扉がテーブルとして利用可能である、装置。
【請求項８７】
請求項８６の装置において、
１つ又はそれ以上の扉が、殻体に接続される間、テーブルとして利用可能であるようにした、装置。
【請求項８８】
請求項８６の装置において、
１つ又はそれ以上の扉が自立テーブルとして機能するように殻体から取り外し可能であるようにした、装置。
【請求項８９】
請求項８６の装置において、
１つ又はそれ以上の扉がテーブルとして利用されるとき、扉をほぼ水平位置に保ち得るように１つ又はそれ以上の扉が、１つ又はそれ以上の脚部と共に利用されるようにした、装置。
【請求項９０】
健康及び安全基準に適合するのに必要な装置及び用具を保持する単一の持運び型ユニットを提供する可動の安全適合装置において、
可動の安全適合装置を移動させることを許容する機構と、
基部と、頂部と、複数の区画室とを有する殻体とを備え、
多岐に亙る健康及び安全の必要性に対する健康及び安全基準に適合するのに必要な装置及び用具を受け入れ得るように、ユーザが可動の安全適合装置を特注化することを許容するような区画室の形態とされた、可動の安全適合装置。
【請求項９１】
請求項８０の装置において、
自己充足型ユニットを備える、装置。
【請求項９２】
請求項９０の装置において、
生存のため災害に対応するのに必要な装置及び用具を受け入れ得るようにすることができるようした、装置。
【請求項９３】
請求項９０の装置において、
除染に対応するのに必要な装置及び用具を受け入れ得るようにすることができる、装置。
【請求項９４】
請求項９０の装置において、
化学物質の流出に対応するのに必要な装置及び用具を受け入れ得るようにすることができるようにした、装置。
【請求項９５】
請求項９０の装置において、
呼吸の保護に必要な装置及び用具を受け入れ得るようにすることができるようにした、装置。
【請求項９６】
請求項９０の装置において、
医療ユニットに必要な装置及び用具を受け入れ得るようにすることができるようにした、装置。
【請求項９７】
健康及び安全基準に適合するのに必要な装置及び用具を保持する単一の持運び型ユニットを提供する可動の安全適合装置において、
基部と、頂部と、装置及び用具を収容する複数の区画室とを有する殻体と、
ユーザが該装置を移動させ又は位置変更することを許容する持上げ手段とを備えるようにした、可動の安全適合装置。
【請求項９８】
請求項９７の装置において、
持上げ手段が、持上げ装置を該装置に取り付けるべく殻体に結合された持上げ手段であり、
該持上げ手段が、ユーザが装置を移動させ又は位置変更することを許容するようにした、装置。
【請求項９９】
請求項９６の装置において、
持上げ手段が、殻体の頂部及び基部を貫通して伸びる垂下ロッドを備える、装置。
【請求項１００】
請求項９８の装置において、
持上げ手段が、殻体の基部の下方に配置された支持部材を更に備え、
該支持部材が垂下ロッドに係合する、装置。
【請求項１０１】
請求項９９の装置において、
前記持上げ手段が、垂下ロッドに係合するアイレットであって、装置が該アイレットにより持ち上げられたとき、装置の重量が支持部材により支持されるようにする前記アイレットを更に備える、装置。
【請求項１０２】
請求項９７の装置において、持上げ手段が殻体の頂部に結合されたアイレットを備える、装置。
【請求項１０３】
健康及び安全基準に適合するのに必要な装置及び用具を保持する単一の持運び型ユニットを提供する可動の安全適合装置において、
基部と、頂部と、装置及び用具を収容する複数の区画室とを有する殻体と、
該装置をボルト、垂直棒又はその他の取付け装置（ｔｉｅ  ｄｏｗｎｓ）のような装置により地面、床又はその他の表面に固着する開口を有する係合フランジとを備える、可動の安全適合装置。
【請求項１０４】
請求項１０２の装置において、
係合フランジが殻体の基部に沿って一側部に配置される、装置。
【請求項１０５】
請求項１０２の装置において、
係合フランジが装置の移動及び（又は）傾動を防止する定着点として機能する、装置。
【請求項１０６】
請求項１０２の装置において、
係合フランジが地面、床その他の表面に固着されたとき及び固着解除されたときの双方にて該係合フランジが装置に対する支持基部を提供する、装置。
【請求項１０７】
健康及び安全基準に適合するのに必要な装置及び用具を保持する単一の持運び型ユニットを提供する可動の安全適合装置において、
基部と、頂部と、装置及び用具を収容する複数の区画室とを有する殻体と、
電灯、通信装置、警報装置等を作動させる蓄電池とを備える、可動の安全適合装置。
【請求項１０８】
健康及び安全基準に適合するのに必要な装置及び用具を保持する単一の持運び型ユニットを提供する可動の安全適合装置において、
基部と、頂部と、装置及び用具を収容する複数の区画室とを有する殻体と、
車輪を有して、隔たった関係にて支持部材に取り付けられる可調節型キャスタとを備え、ユニットを傾けることなく、該ユニットを平坦面に沿って移動させることを許容し得るようにキャスタが第一の位置と第二の位置との間で移動可能であるようにした、可動の安全適合装置。